(57)【要約】      （修正有）【課題】多くの楽曲の中からほしい楽曲を入手する際の処理を簡単化する。【解決手段】試聴用音楽を試聴し、ダウンロードしたい音楽をオーディオプレーヤー１に登録する（７１）。ユーザは、試聴用音楽を試聴しながら、ダウンロードしたい音楽にダウンロード登録チェック用をおこなっていく。次いで、ユーザが帰宅した際などに、オーディオプレーヤー１とアダプター３とを接続することで（７２）、ダウンロード登録された音楽をＨＤＤ内にダウンロードする要求を行うと（７３）、オーディオプレーヤー１はアダプター３との接続を検出し、アダプター３を介して音楽配信サービス６５に音楽配信サービスへの接続と、ダウンロード登録された音楽の配信（オーディオプレーヤー１側から見ればダウンロード）と、を要求し（７４）、これに応じて、音楽の配信（ダウンロード）がオーディオプレーヤー１に対して行われる（７５）。【選択図】図５
2006138922.tif 000002
【特許請求の範囲】
【請求項１】
少なくとも、外部から送信可能なコンテンツのコンテンツメタデータとダウンロードしたコンテンツのコンテンツ再生データとを受信するための第１のインターフェイス部と、
受信した前記コンテンツメタデータのうち送信を希望するコンテンツに対応するコンテンツメタデータを登録する取得希望コンテンツ登録部と
を有することを特徴とするコンテンツ受信装置。
【請求項２】
さらに、前記第１のインターフェイス部を介して外部から受信した前記コンテンツメタデータ及び前記コンテンツ再生データを記憶するコンテンツデータ記憶部を有することを特徴とする請求項１に記載のコンテンツ受信装置。
【請求項３】
前記コンテンツ受信装置は、該コンテンツ受信装置とコンテンツを送信するコンテンツ送信装置との間のネットワーク接続状態が非確立である状態から確立した状態へ推移したことを検出する接続検出部を有することを特徴とする請求項１又は２に記載のコンテンツ受信装置。
【請求項４】
コンテンツを送信するコンテンツ送信装置とコンテンツを受信するコンテンツ受信装置とをネットワーク接続するネットワーク接続装置であって、
該コンテンツ受信装置と前記コンテンツ送信装置とをネットワーク接続する第２のインターフェイス部を有することを特徴とするネットワーク接続装置。
【請求項５】
請求項１から３までのいずれか１項に記載のコンテンツ受信装置と請求項４に記載のネットワーク接続装置とを有し、
前記ネットワーク接続装置を介して前記コンテンツ受信装置が前記コンテンツ送信装置と前記第１のインターフェイス部及び第２のインターフェイス部を介してネットワーク接続されると、前記取得希望コンテンツ登録部に登録されたコンテンツを前記コンテンツ送信装置に対して送信要求し該コンテンツ送信装置からコンテンツ再生データを取得することを特徴とするコンテンツ受信システム。
【請求項６】
配信を希望するコンテンツを一意に識別するコードを含む送信可能なコンテンツのコンテンツメタデータを外部機器へ送信し、送信した外部機器から送信を希望するコンテンツに関する前記コードを受信し、前記コンテンツに関するコンテンツ再生データを送信することを特徴とするコンテンツ送信装置。
【請求項７】
請求項５に記載のコンテンツ受信システムと、
請求項６に記載のコンテンツ送信装置と、を有するコンテンツ送受信システム。
【請求項８】
請求項６に記載のコンテンツ送信装置が送信可能なコンテンツに対応して、受信したいコンテンツを選択し登録したデータテーブルを記憶する記憶部を有する請求項１から３までのいずれかに記載のコンテンツ受信装置。
【請求項９】
送信可能なコンテンツに関するメタ情報を外部から取得するステップと、
コンテンツ送信側とコンテンツ受信側とでネットワークが確立していない状態において前記メタ情報を参照して受信したいコンテンツを登録するステップと
を有する送信希望コンテンツの選択方法。
【請求項１０】
少なくとも、
コンテンツを送信するコンテンツ送信装置とのネットワークが確立した状態において、予め選択しておいた、受信希望コンテンツを特定する情報を提示するステップと、
提示された前記受信希望コンテンツを特定する情報に基づいて、受信したいコンテンツのコンテンツ再生データの送信を促しコンテンツを受信するステップと
を有するコンテンツの受信方法。
【請求項１１】
コンテンツを受信するコンテンツ受信装置を用いた希望コンテンツ登録方法であって、
配信を可能とするコンテンツのメタデータを取得するステップと、
前記メタデータを参照し、参照した該メタデータに基づいて取得を希望するコンテンツを登録するステップと
を有することを特徴とする希望コンテンツ登録方法。
【請求項１２】
コンテンツを受信するコンテンツ受信装置とコンテンツを送信するコンテンツ送信装置とのネットワークを確立するステップと、
前記ネットワークを確立するステップに応じて、前記コンテンツ受信装置に登録され取得を希望するコンテンツを特定する情報に基づいてコンテンツを送信するコンテンツ送信装置からコンテンツ再生データを取得するステップと、
を有することを特徴とするコンテンツ取得方法。
【請求項１３】
請求項１１又は請求項１２に記載のステップをコンテンツに実行させるためのプログラム。
【発明の詳細な説明】
【技術分野】
【０００１】
本発明は、コンテンツ送受信システムに関し、特に、コンテンツ受信サービスに直接接続できないコンテンツ再生装置においてコンテンツ受信サービスを利用可能とする技術に関する。  
【背景技術】
【０００２】
従来、インターネットに接続されたパーソナルコンピュータ（ＰＣ）を用いて、購入したい音楽をダウンロードできる音楽配信サービスが行われている。一方、最近では、本体に大容量のハードディスクを内蔵し、ＰＣとＵＳＢケーブルで本体接続した後に専用ソフトウエアでＰＣにある音楽を転送して、アウトドアでハードディスクに蓄積された音楽を楽しむポータブルオーディオプレーヤーがある。
【０００３】
音楽配信に関連し、オーディオ装置が、ネットワークと通信を行う通信手段と、ダウンロードされた知覚情報を蓄積する蓄積手段と、知覚情報を再生する再生手段と、操作情報を入力する入力手段と、編成された、断片の知覚情報及び、前記断片の知覚情報の完全な知覚情報をダウンロードするためのロケーション情報を記録するメモリカードと、メモリカードの情報を読み込む読込手段と、各手段を制御する制御手段とを備えたオーディオ装置が開示されている。このオーディオ装置では、制御手段は、編成の順に断片の知覚情報を再生するとともに、各再生時にユーザからのダウンロード指示があったときは、ロケーション情報をもとにダウンロードを行って断片の知覚情報の完全な知覚情報を取得して蓄積手段に保存する制御を行う（特許文献１参照）。
【０００４】
【特許文献１】特開２００３−２４２０６８
【発明の開示】
【発明が解決しようとする課題】
【０００５】
上記特許文献１に記載の技術をポータブルオーディオプレーヤーに適用すると、試聴して欲しい音楽がみつかった場合には、以下の操作が必要となる。
１）ユーザが欲しい音楽を覚えておいて、インターネットに接続されたパソコンを操作する。
２）覚えておいた欲しい音楽を検索入力して探した後にダウンロードする。
【０００６】
この場合、欲しい音楽がいくつもある場合は、個々のダウンロードしたい音楽がある度に上記の操作を繰り返さなければならず、利便性という観点から大きな課題があった。この問題は、欲しい音楽を探すポータブルオーディオプレーヤーと音楽をダウンロードするＰＣとが、音楽をダウンロードのための連携がされておらず、ユーザが個々のダウンロードしたい音楽を覚えておいてなければならないことに起因する。また、欲しい音楽をダウンロードするには、ＰＣが必要となる。
【０００７】
本発明は、多くの楽曲の中からほしい楽曲を入手する際の処理を簡単にするコンテンツ配信技術を提供することを目的とする。
【課題を解決するための手段】
【０００８】
本発明の第１の観点によれば、少なくとも、外部から送信可能なコンテンツのコンテンツメタデータとダウンロードしたコンテンツのコンテンツ再生データとを受信するための第１のインターフェイス部と、受信した前記コンテンツメタデータのうち送信を希望するコンテンツに対応するコンテンツメタデータを登録する取得希望コンテンツ登録部とを有することを特徴とするコンテンツ受信装置が提供される。さらに、外部から受信した前記コンテンツメタデータ及び前記コンテンツ再生データを記憶するコンテンツデータ記憶部を有するのが好ましい。前記コンテンツ受信装置は、該コンテンツ受信装置とコンテンツを送信するコンテンツ送信装置との間のネットワーク接続状態が非確立である状態から確立した状態へ推移したことを検出する接続検出部を有することを特徴とする。
【０００９】
ネットワーク接続状態が非確立である外出時などに、コンテンツメタデータを参照して希望するコンテンツを登録しておくと、帰宅してネットワーク接続状態にする動作に応じて希望するコンテンツを簡単に取得することができる。
【００１０】
コンテンツを送信するコンテンツ送信装置とコンテンツを受信するコンテンツ受信装置とをネットワーク接続するネットワーク接続装置であって、該コンテンツ受信装置と前記コンテンツ送信装置とを前記第１のインターフェイス部及び第２のインターフェイス部を介してネットワーク接続する第２のインターフェイス部を有することを特徴とするネットワーク接続装置が提供される。このネットワーク接続装置を介して前記コンテンツ受信装置が前記コンテンツ送信装置とネットワーク接続されると、前記取得希望コンテンツ登録部に登録されたコンテンツを前記コンテンツ送信装置に対して送信要求し該コンテンツ送信装置からコンテンツ再生データを取得することができる。
【００１１】
本発明の他の観点によれば、配信を希望するコンテンツを一意に識別するコードを含む送信可能なコンテンツのコンテンツメタデータを外部機器へ送信し、送信した外部機器から送信を希望するコンテンツに関する前記コードを受信し、前記コンテンツに関するコンテンツ再生データを送信することを特徴とするコンテンツ送信装置が提供される。この装置によれば、配信希望されたコンテンツに関するコードの受信に応じて、コードに関係するコンテンツを送信することができる。
【００１２】
本発明の他の観点によれば、送信可能なコンテンツに関するメタ情報を外部から取得するステップと、コンテンツ送信側とコンテンツ受信側とでネットワークが確立していない状態において前記メタ情報を参照して受信したいコンテンツを登録するステップとを有する送信希望コンテンツの選択方法が提供される。
【００１３】
また、少なくとも、コンテンツを送信するコンテンツ送信装置とのネットワークが確立した状態において、予め選択しておいた、受信希望コンテンツを特定する情報を提示するステップと、提示された前記受信希望コンテンツを特定する情報に基づいて、受信したいコンテンツのコンテンツ再生データの送信を促しコンテンツを受信するステップと、を有するコンテンツの受信方法が提供される。
【００１４】
さらに、コンテンツを受信するコンテンツ受信装置を用いた希望コンテンツ登録方法であって、配信を可能とするコンテンツのメタデータを取得するステップと、前記メタデータを参照し、参照した該メタデータに基づいて取得を希望するコンテンツを登録するステップとを有することを特徴とする希望コンテンツ登録方法が提供される。加えて、コンテンツを受信するコンテンツ受信装置とコンテンツを送信するコンテンツ送信装置とのネットワークを確立するステップと、前記ネットワークを確立するステップに応じて、前記コンテンツ受信装置に登録され取得を希望するコンテンツを特定する情報に基づいてコンテンツを送信するコンテンツ送信装置からコンテンツ再生データを取得するステップと、を有することを特徴とするコンテンツ取得方法が提供される。
【００１５】
こられの方法によれば、メタ情報に基づいて送信希望コンテンツを選択するため、希望コンテンツを正しく選択することができる。しかも、コンテンツ受信側又はコンテンツ受信側に着脱可能な媒体を所持しておけば、いつでもどこでも希望コンテンツの登録を行うことができ便利である。
【発明の効果】
【００１６】
本発明によれば、例えば、ユーザーはＰＣなしに携帯型の楽曲再生装置のみで試聴用楽曲再生データを参照して行われた楽曲ダウンロードの登録に基づいて、ネットワーク接続するクレイドルに接続した際にダウンロード登録されている楽曲再生データを自動また直接的に楽曲再生装置にダウンロード取得し以後クレイドルから外していつでもどこでも再生して楽しむことができるという利点がある。
【発明を実施するための最良の形態】
【００１７】
本明細書において、コンテンツのメタデータとは、例えば、楽曲試聴再生データのような主のコンテンツ再生データに対する付随的なコンテンツ再生データ、又は、例えば、楽曲に対するアーティスト名やアルバム名のような、コンテンツ再生データに付随するデータであり、コンテンツを選択する際の参考として用いることができる。
本明細書（特許請求の範囲を含む）においては、コンテンツのメタデータは、コンテンツを選択する際の参考としてはコンテンツ試聴再生データを例にして説明するが、特許請求の範囲においては、上記のどちらも含まれる。以下、コンテンツは音楽コンテンツとし、楽曲再生データを取得するシステムについて図面を参照しつつ説明を行う。
【００１８】
図１は、本実施の形態による楽曲受信装置を含むオーディオシステムの構成例を示す図である。図１に示すように、本実施の形態によるオーディオシステムＡは、ポータブルオーディオプレーヤー１と、これを受け入れる挿入部７を有するアダプター３と、を有している。ポータブルオーディオプレーヤー１は、操作部１１と、表示部１５と、第１のインターフェイス部１７と、を有している。一方、アダプター３は、第２のインターフェイス部２１と、ＬＡＮケーブル５と、を有している。白抜きの矢印で示すようにポータブルプレーヤー１をアダプター３の挿入部７内に差し込むと、第１のインターフェイス部１７と第２のインターフェイス部２１とが電気的に接続し、両者１・３間の通信が可能になる。すなわち、ポータブルオーディオプレーヤー１とアダプター３とは、物理的に着脱可能であるとともに、物理的に着脱に応じて電気的な接続がオン／オフされる構造になっている。
【００１９】
図２は、ポータブルオーディオプレーヤー１の内部システムの一構成例を示す図である。図２に示すように、ポータブルオーディオプレーヤー１は、図１にも示した操作部１１と、ＬＣＤ表示部１５と、アダプター１７との電気的接点を形成するアダプター接続部１７と、バスラインＢＬと、ＣＰＵ３１と、動作用プログラムを格納するＲＯＭ３３と、プログラムを展開して動作させる高速ＲＡＭ３５と、コンテンツ（楽曲）を格納するＨＤＤ４１と、ＨＤＤ４１を制御するＨＤＤ制御部３７と、アダプター接続部１７を介してポータブルオーディオプレーヤー１の各構成要素とアダプター３の各構成要素とをネットワーク接続する制御を行うＬＡＮ制御部４３と、ＬＣＤ１５の表示を制御するディスプレイ制御部４５と、オーディオコンテンツをヘッドフォン端子５１経由で聴くことができるようにデータを変換するオーディオ変換部４７と、を有している。ＬＡＮ制御部４３には、ＬＡＮ接続されているか否かを検出する接続検出部が設けられている。
【００２０】
図３は、アダプター３の内部システムの一構成例を示す図である。図３に示すように、アダプター３は、ポータブルオーディオプレーヤー１と接続するポータブルプレーヤー接続部２１と、ＬＡＮ信号線３と、ＬＡＮケーブル接続端子５ａと、を有し、ＬＡＮケーブル接続端子５ａから例えば光ファイバー線５とインターネット網６３とを介して外部の音楽コンテンツ配信サービス６５にアクセスすることができる。
【００２１】
尚、図示してはいないが、アダプター３はＡＣ電源に接続可能になっており、一方、ポータブルオーディオプレーヤー１は、携帯性を考慮して蓄電池によりバッテリー駆動可能となっており、アダプター３とポータブルオーディオプレーヤー１とを接続することでアダプター３からポータブルオーディオプレーヤー１に自動的に充電可能となっている。
【００２２】
ＲＯＭ３３は、ダウンロードしたい音楽を登録するダウンロード登録処理を行う第１のプログラムと、アダプター３と接続された場合に、音楽配信サービスに接続する第２プログラムと、ダウンロード登録された音楽をＨＤＤにダウンロードする第３プログラムと、ＨＤＤにある音楽を再生（試聴音楽、ダウンロードされた音楽）する第４プログラムと、ＨＤＤにある音楽を管理する第５プログラムと、を格納する。ＨＤＤ４１には、ダウンロードした音楽データと、試聴データ（コンテンツメタデータ）と、ダウンロード接続先のアドレスを示すＵＲＬと、ダウンロード登録された音楽のリストと、が記録可能である。操作部１１は、ダウンロードした音楽の再生開始ボタンと、ダウンロード登録開始ボタンと、オン／オフ用のボタンと、を有している。
【００２３】
図４は、ダウンロード登録リストのデータを示すテーブルの構成例を示す図である。ポータブルオーディオプレーヤー１のＬＣＤ１５に表示される。図４に示すように、ダウンロード登録リストとして、例えば、音楽を一意に識別する音楽ＩＤと、曲名と、アーティスト名と、ダウンロードアドレスと、ダウンロード登録フラグと、が表示されている。ダウンロード登録リストとして、例えば、音楽を一意に識別する音楽ＩＤと、曲名と、アーティスト名と、ダウンロードアドレスと、は、配信サーバからダウンロードされたものである。一方、ダウンロード登録フラグは、“１”がダウンロード登録を予約したことを示し、“０”は、ダウンロード登録を予約していないことを示す。アダプター３とポータブルオーディオプレーヤー１とを接続すると、ダウンロード登録フラグが“１”の楽曲がダウンロードされるようになっている。尚、ダウンロード登録フラグは、コンテンツのリストとともに、ダウンロードを希望するダウンロード希望コンテンツを識別するための標識として、例えばＨＤＤ４１内に記憶される。
【００２４】
図５は、ダウンロード登録からダウンロードまでの通信シーケンス図である。図６は、ダウンロード登録時とダウンロード時のＧＵＩ画面を示す図である。
【００２５】
適宜図１から４までも参照しつつ説明を行う。まず、ポータブルオーディオプレーヤー１において、ＨＤＤ４１に記録されている試聴用音楽を再生する。尚、図６（Ａ）に示すように、ポータブルオーディオプレーヤー１の操作部１１は、電源ボタン１１ａと、ｕｐ−ｄｏｗｎカーソルボタン１１ｂ、１１ｃと、ｅｎｔｅｒ（決定）キー１１ｄと、ダウンロード登録チェック用キー１１ｅと、を有している。図６（Ｂ）は試聴用音楽を再生中の場合の表示画面１５ａの様子を示す図である。表示画面１５ａには、６曲の試聴用音楽が表示されており、ｕｐ−ｄｏｗｎカーソルボタン１１ｂ、１１ｃにより現在は曲名１５−２の１行目の曲「あいうえお」１５−１を試聴再生中である旨を表示している。試聴用音楽は、音楽の一部又は音楽の音質を落とした音楽など、ユーザがダウンロードしたい音楽を決めるためのものである。ダウンロードしたい音楽を、例えば移動中又は移動先で時間に余裕がある場合などにポータブルオーディオプレーヤー１などを登録する（７１）。図６（Ｂ）の右側の表示画面１５ｂの曲名の左側のチェック項目がオンになり、ダウンロード登録が行われる。符号１５−３は、試聴再生中の進捗状況を示す進捗バーである。ユーザは、試聴用音楽を試聴しながら、ダウンロードしたい音楽にダウンロード登録チェック用をおこなっていく。
【００２６】
次いで、ユーザが帰宅した際などに、ポータブルオーディオプレーヤー１とアダプター３とを接続することで（７２）、ダウンロード登録された音楽をＨＤＤ４１にダウンロードする要求を行うと（７３：図６（Ｃ）））、ポータブルオーディオプレーヤー１はアダプター３との接続を検出し、アダプター３を介して音楽配信サーバ６５に音楽配信サービスへの接続と、ダウンロード登録された音楽の配信（ポータブルオーディオプレーヤー１側から見ればダウンロード）と、を要求し（７４）、これに応じて、音楽の配信（ダウンロード）がポータブルオーディオプレーヤー１に対して行われる（７５）。これら、一連の作業により、予めポータブルオーディオプレーヤー１のみで行っておいた試聴用音楽などを参考にして行われたダウンロード登録に基づいて、ダウンロード機能を有するアダプター３に接続した際に、ダウンロード登録されている音楽を例えば自動的にポータブルオーディオプレーヤー１内のＨＤＤ４１に記録させ、音楽を楽しむことができる。この際、図６（Ｄ）に示すように、表示画面１５ｃで自動ダウンロード確認画面が表示され、曲名「おいうえお」のダウンロードを開始するか否かの確認表示１５−４がなされ、ｅｎｔｅｒ（決定）キー１１ｄによりＹＥＳ又はＮＯを決定する。ＹＥＳを選択し決定すると、自動ダウンロード中である旨の表示画面１５ｄが表示され、進捗バー１５−３の進捗状況１５−２が表示される。
【００２７】
図７は、ダウンロード登録時の処理の流れを示すフローチャート図である。図８は、ダウンロード時の処理の流れを示すフローチャート図である。以下、図７及び図８を参照しつつ、処理の流れの詳細（プログラムの内容）について説明する。図７に示すように、まずステップＳ１において試聴音楽を再生する操作を起動させる処理を開始し（ＳＴＡＲＴ）、ステップＳ２においてカウンタを“１”に初期化する。ステップＳ３において、カウンタが最終値＋１であるか否かを判断する。最終値＋１の場合には（ＹＥＳ）、ステップＳ８に進み処理を終了する（ＥＮＤ）。
【００２８】
カウンタが最終値＋１でない場合には（ＮＯ）、ステップＳ４に進み、カウンタを＋１加算する。次いで、試聴音楽を呼び出して再生する（ステップＳ５）。ダウンロード登録がされたか否かをＣＰＵで判定し、ダウンロード登録がされていない場合には（ＮＯ）ステップＳ３に戻る。ダウンロード登録がされている場合には（ＹＥＳ）、ダウンロード登録フラグを“１”に設定した後に（ステップＳ７）ステップＳ３に戻る。これにより、カウンタ値が最終値になるまで、試聴音楽を試聴しながらダウンロード登録を行うか否かを設定することができる。この際、必ずしも自宅にいなくても、このダウンロード登録作業は可能であるため、通勤電車の中のような中途半端な時間においても、例えば他の曲を聴きながら表示画面上で次にダウンロードしたい曲を決める作業を行うことができるため、時間的なロスが少ないという利点がある。
【００２９】
図８は、ダウンロード時の処理の流れを示すフローチャート図である。まずステップＳ１１において、ポータブルオーディオプレーヤー１をアダプター３と接続することでこの処理が開始される（ＳＴＡＲＴ）。ステップＳ１２においてカウンタを“１”に初期化する。ステップＳ１３において、カウンタが最終値＋１であるか否かをチェックする。カウンタが最終値＋１である場合には（ＹＥＳ）、ステップＳ１７に進み処理を終了する（ＥＮＤ）。ステップＳ１３において、カウンタが最終値＋１でない場合には（ＮＯ）、ステップＳ１４に進み、カウンタ値に１を加算する。次いで、ステップＳ１５においてダウンロード登録フラグが“１”であるか否かを判断し、ＮＯであれば、ステップＳ１３に戻る。ＹＥＳであれば、ステップＳ１６において現在の音楽がダウンロードされ、その後にステップＳ１３に進む。これにより、カウンタ値が最終値になるまで楽曲のダウンロードを自動的に行うことができ、ユーザは最終確認を行うだけの簡単な作業で例えば充電を行いつつダウンロードを進めることができる。さらに最終確認が不要であれば、完全に自動的なダウンロード処理を行うことができる。
【００３０】
以上に説明したように、本実施の形態によるコンテンツ受信装置によれば、携帯型のポータブルオーディオプレーヤーのみで試聴用音楽などを参考にして行われたダウンロード登録に基づいて、ダウンロード機能を有するアダプターに物理的に接続した際に、ダウンロード登録されている音楽を自動的にポータブルオーディオプレーヤーに記録し、音楽を楽しむことができるという利点がある。
【００３１】
尚、ネットワーク接続環境を有するアダプターをポータブルオーディオプレーヤーとともに携帯していれば、登録はポータブルオーディオプレーヤーでおこなっておき、いつでもどこでもアダプターと接続してコンテンツをポータブルオーディオプレーヤーにダウンロードできるという利点がある。
【００３２】
次に、本発明の第２の実施の形態によるコンテンツ配信システムについて図面を参照しつつ説明を行う。図９は、本実施の形態によるコンテンツ配信システムの一構成例を示す図である。図９に示すように、本実施の形態によるコンテンツ配信システムは、第１の実施の形態によるポータブルオーディオプレーヤーと同様の構成を有するポータブルオーディオプレーヤー１０１と、一般的なパーソナルコンピュータ（ＰＣ）１０５と、コンテンツ配信サーバ１０７と、ＰＣ１０５とネットワーク１１１を介して接続するためのインターフェイス部１２３と、ＰＣ１０５内の主要構成要素（ＣＰＵ、ＨＤＤ、ＲＡＭ等）１１５と、これらの主要構成要素１１５とポータブルオーディオプレーヤー１０１とをインターフェイス１２１を介して接続する配線１１７と、を有している。ポータブルオーディオプレーヤー１０１とパーソナルコンピュータ（ＰＣ）１０５とは、ＬＡＮ又はＵＳＢケーブル（１０３）などにより接続可能である。
【００３３】
本実施の形態によるコンテンツ配信システムにおいても、第１の実施の形態と同様にポータブルオーディオプレーヤー１０１でダウンロード登録した楽曲を、ＰＣ１０５を介してコンテンツ配信サーバ１０７からダウンロードしてポータブルオーディオプレーヤー１０１内にダウンロード登録した楽曲を記憶させる点は同じである。本実施の形態によるコンテンツ配信システムでは、専用のアダプターを必要としないため、汎用性が高いという利点がある。
【００３４】
尚、上記の実施の形態においては、コンテンツとして楽曲を例にして説明したが、他にも、電子ブックや動画コンテンツであっても同様にダウンロード登録を行うことで、ダウンロードの簡単化ができる。
【産業上の利用可能性】
【００３５】
本発明は、携帯型音楽再生装置に利用することができる。
【図面の簡単な説明】
【００３６】
【図１】本発明の第１の実施の形態によるオーディオシステムの構成例を示す図である。
【図２】本発明の第１の実施の形態によるポータブルオーディオプレーヤーの内部システムの構成例を示す機能ブロック図である。
【図３】本発明の第１の実施の形態による音楽配信アダプターの内部システムの構成例を示す機能ブロック図である。
【図４】ダウンロード登録リストデータのテーブル構成例を示す図である。
【図５】ダウンロード登録からダウンロードまでの通信シーケンスを示す図である。
【図６】ダウンロード登録時とダウンロード時のＧＵＩ画面と使用方法を示す図である。
【図７】ダウンロード登録時の処理の流れを示すフローチャート図である。
【図８】ダウンロード時の処理の流れを示すフローチャート図である。
【図９】本発明の第２の実施の形態によるオーディオシステムの構成例を示す図である。
【符号の説明】
【００３７】
Ａ…オーディオシステム、１…ポータブルオーディオプレーヤー（コンテンツ受信装置）、３…アダプター（ネットワーク接続装置）、５…ＬＡＮケーブル、７…挿入部、１１…操作部、１５…表示部、１７、２１…インターフェイス部、６５…音楽配信サービス（サーバ：コンテンツ送信装置）。
【図１】
2006138922.tif 000003
【図２】
2006138922.tif 000004
【図３】
2006138922.tif 000005
【図４】
2006138922.tif 000006
【図５】
2006138922.tif 000007
【図６】
2006138922.tif 000008
【図７】
2006138922.tif 000009
【図８】
2006138922.tif 000010
【図９】
2006138922.tif 000011